(57)【特許請求の範囲】
【請求項１】
樽本体の内面上端形状にほぼ合致する湾曲面としたスライド面を有する器具本体の下端に楔状部を形成するとともに、器具本体の一方の面に、樽本体の上縁に係合可能な段部を形成し、器具本体の他方の面には前記楔状部の傾斜面で且つ前記湾曲面とした前記スライド面を形成して、前記スライド面を蓋体の外周縁が滑動して移動することができるようにし、かつ器具本体に、前記段部側に伸びる棒状ハンドルを連結したことを特徴とする酒樽の鏡開き用準備器具。
【請求項２】
請求項１に記載した酒樽の鏡開き用準備器具を用い、
樽本体と蓋体の接合面に器具本体の楔状部を、器具本体のスライド面が蓋体側に位置するように当て、器具本体を上から小槌を利用して打ち、器具本体の段部が樽本体の上縁に当接するまで楔状部を樽本体と蓋体の接合面に侵入させ、そして器具本体の段部が樽本体の上縁に当接したら、器具本体の段部を支点としてハンドルを倒す方向に移動させて、スライド面によって蓋体を持ち上げられるようにして移動させることにより蓋体を樽本体から取り外すようにしたことを特徴とする酒樽の鏡開き用準備器具を用いた酒樽の蓋体の取り外し方法。
【発明の詳細な説明】
【０００１】
【発明の属する技術分野】
この発明は、酒樽の鏡開きの準備として予め蓋体を取り外す作業を、容易かつ安全に行うことができるようにした酒樽の鏡開き用準備器具及びそれを用いた酒樽の蓋体の取り外し方法に関するものである。
【０００２】
【従来の技術】
慶事等のパーティー会場で日本酒入りの樽の蓋を割り、開蓋することが行われており、これを鏡開きと称されている。この行為は、遠目では樽本体に固定されている蓋を直接小槌で打って割っているように見えるのではあるが、このように樽本体に固定された蓋をいかに小槌を用いるとは言え、割ることは不可能又は困難であるので、会場係員又は会場に出向いたメーカー職員によってすでに蓋を取り外し、樽本体の上に静止した状態に起き直し、小槌で割るのである。
【０００３】
この蓋体を取り外す作業として、蓋体に損傷を与えることなく、かつ樽本体から酒が排出又は漏出しないように配慮して行わなければならず、決して容易な作業ではなかったのである。
【０００４】
この蓋体の取り外し作業は、従来、図５に示すように行われていた。すなわち蓋体は外観視では１枚の丸い板によって構成されてはいるが、短冊状板を複数枚密着した円盤であり、隣り合う短冊状板は、長手方向の中央で連結されているのである。そしてすでに樽本体ａに嵌め込まれている蓋体ｂと樽本体ａの間に金べらｃを小槌ｄによって打ち込むのであるが、金べらｃを打ち込む前に上部の箍ｆを下方に若干移動させなければならなかった。このように箍ｆを移動させなければ、樽本体ａと蓋体ｂの嵌合がきつ過ぎて、いかに小槌ｄを用いるとしても金べらｃが挿入しにくいためである。
【０００５】
そして金べらｃを刺し込んだ状態で金べらｃを樽本体ａの外側方向に倒すと、てこの原理が作用して蓋体ｂが持ち上げられ、竹釘で連結されている短冊状板の竹釘部分が若干盛り上がり、すると樽本体ａと蓋体ｂの間に間隙が生じるので、この間隙を利用して金べらｃを順次位置（場所）を変えて蓋体ｂを起こしていき、蓋体ｂが完全に外れるまで行う。そして外れた蓋体ｂを樽本体ａの上縁に置き鏡開きに臨むのである。
【０００６】
【発明が解決しようとする課題】
しかしこの方法には以下の課題を有していた。まず前記した箍ｆの移動である。箍ｆはそもそも樽本体ａの複数の側板を強固に締め付けて密着させ、内部に収納されている酒が外部に漏出することを防止するために用いられるものであるところ、箍ｆを下げ過ぎると側板相互の密着が解けるため、酒はたちまち漏出する結果を招くことが明らかで、したがって下げ過ぎることは厳禁であるが、その度合いを見定めることが困難であった。通常は箍ｆを１０ｍｍ程度下げるのであるが、不慮にその限界を越えることもあり、とうてい素人には不可能で、ある程度の熟練を要していたのである。
【０００７】
他の問題は刺し込んだ金べらｃを倒す点であった。金べらｃは通常３００ｍｍ程度の短いものであるため、力点から作用点までの長さが短く、したがって一旦刺し込んだ金べらｃを横倒しにすることに、非常に大きな力を要するのである。一方、これを解決せんとして金べらｃを長く形成すると、使用中に金べらｃが折れ曲がるため、結局、前記の長さが最大の長さと言うことになっていた。
【０００８】
【課題を解決するための手段】
そこでこの発明に係る酒樽の鏡開き用準備器具は前記の課題を解決するために、樽本体の内面上端形状にほぼ合致する湾曲面としたスライド面を有する器具本体の下端に楔状部を形成するとともに、器具本体の一方の面に、樽本体の上縁に係合可能な段部を形成し、器具本体の他方の面には前記楔状部の傾斜面で且つ前記湾曲面とした前記スライド面を形成して、前記スライド面を蓋体の外周縁が滑動して移動することができるようにし、かつ器具本体に、前記段部側に伸びる棒状ハンドルを連結したものである。
また、この発明に係る酒樽の鏡開き用準備器具を用いた酒樽の蓋体の取り外し方法は上記した酒樽の鏡開き用準備器具を用い、樽本体と蓋体の接合面に器具本体の楔状部を、器具本体のスライド面が蓋体側に位置するように当て、器具本体を上から小槌を利用して打ち、器具本体の段部が樽本体の上縁に当接するまで楔状部を樽本体と蓋体の接合面に侵入させ、そして器具本体の段部が樽本体の上縁に当接したら、器具本体の段部を支点としてハンドルを倒す方向に移動させて、スライド面によって蓋体を持ち上げられるようにして移動させることにより蓋体を樽本体から取り外すようにしたものである。
【０００９】
【発明の実施の形態】
次にこの発明に係る酒樽の鏡開き用準備器具及びそれを用いた酒樽の蓋体の取り外し方法の実施の形態を図１乃至図４に基づいて述べると、１はこれまで公知の木製の樽本体であり、２も公知の蓋体であり、短冊状板を寄せ木状に全体として円板状に形成した木製のものである。
【００１０】
３は、前記樽本体１の内面形状にほぼ合致する湾曲面としたスライド面６を有する器具本体であり、例えば鋼鉄又は合成樹脂で形成してある。この器具本体３の使用状態における下端には、楔状部４が形成されているとともに、この器具本体３の一方の面に、樽本体１の上縁に係合可能な段部５を形成し、他方の面には、図１に示されるように楔状部４の下端から上方へ蓋体２の外周縁が滑動可能なように傾斜面で且つ樽本体１の内面形状にほぼ合致する湾曲面とした前記スライド面６を形成してある。
【００１１】
７は器具本体３に連結した棒状のハンドルであり、このハンドル７は前記段部５側に位置するように連結してある。
【００１２】
しかして樽本体１及び蓋体２の接合面に器具本体３の楔状部４を当てる。この場合、器具本体３のスライド面６が蓋体２側に位置するようにする。
【００１３】
その後、器具本体３を上から小槌を利用して打つと、楔状部４が樽本体１と蓋体２の接合面に侵入することになる。この楔状部４が所期の状態に侵入すると、器具本体３の段部５は樽本体１の上縁に当接することになる。
【００１４】
そこでハンドル７を倒す方向に移動させると、器具本体３の段部５が支点の作用をし、傾斜面で且つ湾曲面となっているスライド面６によって蓋体２が持ち上げるように移動することができ、蓋体２を取り外すことができるのである。そして取り外した蓋体２を樽本体１の上縁に置いて鏡開きに臨むのである。
【００１５】
ハンドル７は図示するものにあっては略く字状に曲折したものを示してあるが、直線状であってもよく、また長く形成すれば、より軽い力で蓋体２を開けることが可能になる。また器具本体３をハンドル７に連結する方法としては、図示するようにハンドル７の一部に螺溝８を形成し、ナット９によって締め付ければよいが、溶接で連結することも可能である。
【００１６】
【発明の効果】
前記のようにこの発明に係る酒樽の鏡開き用準備器具及びそれを用いた酒樽の蓋体の取り外し方法によれば、樽本体の内面上端形状にほぼ合致する湾曲面を有する器具本体の下端に楔状部を形成するとともに、器具本体の一方の面に、樽本体の上縁に係合可能な段部を形成し、器具本体の他方の面はスライド面に形成して、前記スライド面を蓋体の外周縁が滑動して移動することができるようにし、かつ器具本体に、前記段部側に伸びる棒状ハンドルを連結してあるので、軽い力で蓋体を取り外すことが可能となり、また従来例に示したように箍を移動させることも必要ないため、不慮に酒漏れすることもなく、かつ格別熟練も必要ないため何人にも容易に行い得るという効果を有するのである。
【図面の簡単な説明】
【図１】  この発明に係る酒樽の鏡開き用準備器具の一実施例を示す一方より視た斜視図である。
【図２】  この発明に係る酒樽の鏡開き用準備器具の一実施例を示す他方より視た斜視図である。
【図３】  この発明に係る酒樽の鏡開き用準備器具を用いた酒樽の蓋体の取り外し方法を示す側面図である。
【図４】  酒樽の斜視図である。
【図５】  従来例による蓋体取り外し状態を示す断面図である。
【符号の説明】
１   樽本体
２   蓋体
３   器具本体
４   楔状部
５   段部
６   スライド面
７   ハンドル
８   螺溝
９   ナット
【図１】
0004796237.tif 000002
【図２】
0004796237.tif 000003
【図３】
0004796237.tif 000004
【図４】
0004796237.tif 000005
【図５】
0004796237.tif 000006